(57)【特許請求の範囲】
【請求項１】
システムを統括するマイコンと、
ｈ（ｈ：自然数）バイトのデータをもって１セクタを構成し、ｉ（ｉ：自然数）個のセクタとこれに付加した誤り訂正符号とにより１ブロックを構成したデータが、変調記録されている記憶媒体から信号を検出する手段と、
前記マイコンとは独立して設けられ、データを復調する復調処理部と、前記記憶媒体から検出された信号からＩＤを検出し、前記マイコンから与えられた処理開始ブロック値に基づき所望の処理開始ブロックであるかどうかを判別して、所望の処理開始ブロックである場合には復調開始信号を生成する手段を、有する復調手段と、
前記マイコンとは独立して設けられ、前記復調手段で復調されたデータを一時的に蓄える記憶手段と、
前記マイコンとは独立して設けられ、前記記憶手段に一時的に蓄えられたデータに対し誤り訂正処理を行う誤り訂正手段と、
前記マイコンとは独立して設けられ、前記誤り訂正手段で誤り訂正されたデータを出力する出力手段と、
前記マイコンとは独立して設けられ、前記復調手段から出力される処理ブロックの先頭を検出したことを示す信号により、インクリメントする復調カウンタと、
前記マイコンとは独立して設けられ、前記誤り訂正手段が誤り訂正終了時に発生する信号により、インクリメントする誤り訂正カウンタと、
前記マイコンとは独立して設けられ、前記復調カウンタで表されるカウンタ値であって、復調したデータのブロック数を表す復調アドレスと、前記誤り訂正カウンタで表されるカウント値であって、誤り訂正したデータのブロック数を表す誤り訂正アドレスとを比較して、この比較結果により誤り訂正開始信号を生成して、この誤り訂正開始信号を前記誤り訂正手段に出力する第一の比較手段とを、
具備することを特徴とするディジタル信号再生装置。
【請求項２】
請求項１記載において、
前記復調手段は、ブロックの先頭を検出したことを示す信号によりインクリメントするカウンタと、前記カウンタによる処理ブロック数とあらかじめ設定した設定ブロック数を比較する第二の比較手段とを、有することを特徴とするディジタル信号再生装置。
【請求項３】
請求項２記載において、
前記復調手段は、前記第二の比較手段において前記処理ブロック数と前記設定ブロック数が同数になった場合、最終ブロック信号を生成する手段を、有することを特徴とするディジタル信号再生装置。
【請求項４】
請求項１記載において、
前記復調手段は、ブロックの先頭を検出したことを示す信号によりデクリメントするカウンタと、前記カウンタによる未処理のブロック数が０であるかどうか比較する第二の比較手段とを、有することを特徴とするディジタル信号再生装置。
【請求項５】
請求項４記載において、
前記復調手段は、前記第二の比較手段において前記未処理のブロック数が０になった場合、最終ブロック信号を生成する手段を有することを特徴とするディジタル信号再生装置。
【請求項６】
請求項３または５記載において、
前記復調手段は、前記復調開始信号および前記最終ブロック信号により、設定ブロック数分の復調処理を、復調手段自体で制御することを特徴とするディジタル信号再生装置。
【請求項７】
請求項１記載において、
前記復調手段は、復調処理中に次の処理ブロックの数を一時記憶しておく手段を有し、先の復調処理後に処理を中断させることなく次の処理ブロックの復調処理を続行できることを特徴とするディジタル信号再生装置。
【請求項８】
システムを統括するマイコンと、
ｈ（ｈ：自然数）バイトのデータをもって１セクタを構成し、ｉ（ｉ：自然数）個のセクタとこれに付加した誤り訂正符号とにより１ブロックを構成したデータが、変調記録されている記憶媒体から信号を検出する手段と、
前記マイコンとは独立して設けられ、少なくともデータを復調する復調処理部を有する復調手段と、
前記マイコンとは独立して設けられ、前記復調手段で復調されたデータを一時的に蓄える記憶手段と、
前記マイコンとは独立して設けられ、前記記憶手段に一時的に蓄えられたデータに対し誤り訂正処理を行う誤り訂正手段と、
前記マイコンとは独立して設けられ、前記誤り訂正手段で誤り訂正されたデータを出力する出力手段と、
前記マイコンとは独立して設けられ、復調処理を行った回数をカウントする復調カウンタと、
前記マイコンとは独立して設けられ、誤り訂正処理を行った回数をカウントする誤り訂正カウンタと、
前記マイコンとは独立して設けられ、前記復調カウンタで表される復調アドレスと前記誤り訂正カウンタで表される誤り訂正アドレスとを比較して、この比較結果により誤り訂正開始信号を生成する第一の比較手段とを、
具備した信号再生装置におけるディジタル信号再生方法であって、
前記復調手段は、前記記憶媒体から検出された信号からＩＤを検出し、前記マイコンから与えられた処理開始ブロック値に基づき所望の処理開始ブロックであるかどうかを判別して、所望の処理開始ブロックである場合には復調開始信号を生成し、
前記復調カウンタは、前記復調手段から出力される処理ブロックの先頭を検出したことを示す信号によりカウント値をインクリメントし、
前記誤り訂正カウンタは、前記誤り訂正手段が誤り訂正終了時に発生する信号によりカウント値をインクリメントし、
前記第一の比較手段は、前記復調カウンタで表されるカウンタ値であって、復調したデータのブロック数を表す復調アドレスと、前記誤り訂正カウンタで表されるカウント値であって、誤り訂正したデータのブロック数を表す誤り訂正アドレスとを比較して、この比較結果により誤り訂正開始信号を生成して、この誤り訂正開始信号を前記誤り訂正手段に出力することを特徴とするディジタル信号再生方法。
【請求項９】
請求項８記載において、
前記復調手段は、ブロックの先頭を検出したことを示す信号によりインクリメントするカウンタと、前記カウンタによる処理ブロック数とあらかじめ設定した設定ブロック数を比較する第二の比較手段とを有し、前記第二の比較手段において前記処理ブロック数と前記設定ブロック数が同数になった場合、最終ブロック信号を生成することを特徴とするディジタル信号再生方法。
【請求項１０】
請求項８記載において、
前記復調手段は、ブロックの先頭を検出したことを示す信号によりデクリメントするカウンタと、前記カウンタによる未処理のブロック数が０であるかどうか比較する第二の比較手段とを有し、前記第二の比較手段において前記未処理のブロック数が０になった場合、最終ブロック信号を生成することを特徴とするディジタル信号再生方法。
【発明の詳細な説明】
【０００１】
【発明の属する技術分野】
本発明は、ディジタル信号再生装置およびディジタル信号再生方法に係り、特に、光ディスクなどの記憶媒体に記録されたデータを再生するためのディジタル信号の再生手法にかかわる技術に関する。
【０００２】
【従来の技術】
代表的な光ディジタル信号再生装置としては、コンパクト・ディスク（ＣＤ）やディジタル・ビデオ・ディスク（ＤＶＤ）用の再生装置が挙げられる。光ディスクの再生をする場合、光ディスクより読み出したデータは、復調手段において復調され、更に誤り訂正手段において誤り訂正されて、出力される。
【０００３】
特願平９−６５９０１号のディスク再生装置で見られるように、誤り訂正はブロック単位で行うため、復調済みデータが１ブロック以上あるときに実行するよう制御する必要がある。そのため、ブロック先頭を検出したときに発生される信号によりインクリメントされる復調カウンタと、誤り訂正終了時に発生される信号によりインクリメントされる誤り訂正カウンタとを設け、この２つのカウンタの値を比較することによって、復調済みでかつ誤り訂正未済みのデータが１ブロック以上あるかどうかを判別し、誤り訂正を制御している。
【０００４】
しかし、復調カウンタはブロック先頭を検出したときのみインクリメントするので、最終ブロックには誤り訂正が行われない。これを避けるため、従来は、マイコンが最終ブロックでブロック先頭検出信号を擬似的に与え、復調カウンタをインクリメントすることにより、最終ブロックの誤り訂正を行っていた。
【０００５】
【発明が解決しようとする課題】
上記したように、従来は、マイコンが処理ブロック数を監視し、最終ブロックにおける誤り訂正を制御していた。そのため、マイコンは復調処理の間ずっと復調手段を監視しなくてはならず、マイコンの負担が大きく、２倍速、４倍速と高速化が進むにつれて、マイコンの制御が追いつかなるという問題があった。
【０００６】
また、連続していくつかのブロックを復調処理する際には、一旦、復調・誤り訂正という処理を完了させてからでなければ、次の処理が行えないので、何回かの処理を続けて行う際には時間がかかるという問題があった。
【０００７】
本発明は上記の点に鑑みなされたもので、その目的とするところは、マイコンの負担を軽減するとともに、高速化に対処可能とすることにある。
また、本発明の目的とするところは、一旦、復調・誤り訂正という処理を完了させなくても、連続再生を可能とすることにある。
【０００８】
【課題を解決するための手段】
上記した目的を達成するため、本発明によるディジタル信号再生装置においては、あらかじめ復調手段に処理ブロック数を設定し、ＩＤ検出により復調開始信号を生成して、処理開始を制御する。また、先頭ブロックを検出する毎にデクリメントすることにより最終ブロックを検出し、元来マイコンより送られていた最終ブロックの制御信号を、復調手段自身が生成する。そして、復調開始信号および最終ブロック信号により、復調手段自身で処理ブロック数を制御する。
さらに、処理中に次の処理の処理ブロック数を記憶しておく手段を有することで、設定ブロック数を追加して行うやり方で、処理終了前に次のコマンドを発行する。
【０００９】
【発明の実施の形態】
以下、本発明の実施の形態を、図面を参照して説明する。
図１は、本発明の第１実施形態に係る光ディスク装置における復調手段の概略構成を示すブロック図である。
【００１０】
図１において、１は復調手段である。２は光ディスクより読み出された再生データで、３はそのデータのＩＤ値の検出を行うＩＤ検出部である。４は、ＩＤ検出部２により処理開始ブロックが検出されたときに生成される、復調開始信号である。５は、処理ブロック数をデクリメントするカウンタであり、６はカウンタ５の値を示す未処理ブロック数である。また、７は、マイコンよりＩＤ検出部３へ与えられる処理開始ブロック値、８は、マイコンよりデクリメントカウンタ５へ与えられる処理ブロック数設定値である。９は、デクリメントカウンタ５により得られる未処理ブロック数６が０かどうか比較する比較手段である。１０は、比較手段９により生成される最終ブロック信号である。１１は、再生データ２の復調処理を行う復調処理部である。また、１２はシステムを統括するマイコンである。１３は、１ブロック分の信号の先頭を示すブロック先頭検出信号である。１４は、復調処理部１１において処理開始したブロックの先頭を出力する処理ブロック先頭信号である。また、１５は復調後のデータ、１８はクロックである。
【００１１】
ただし、図１の復調手段には、図７、８で示されるデータが入力されるものとし、復調処理はブロック単位で処理される。
【００１２】
入力データの構造について説明する。
図７は、データのセクタ構造を示した図である。先頭の１２バイトの付加データは、３バイトのセクタアドレスおよび１バイトのセクタ情報を表したＩＤ部と、２バイトのＩＤのエラー訂正コード（ＩＥＣ）と、６バイトのコピーライトマネージメント情報（ＲＳＶ）である。最後尾の付加データは、４バイトのエラー訂正コード（ＥＤＣ）である。データ（メインデータ）は、記録データであり、図中の最上列の左から右へと最下の列まで、計２０４８バイト分記録される。１７２バイトを１２行分、２０６４バイトを１セクタとする。
【００１３】
図８は、１ブロックの構造を示した図である。各列１９２バイトのデータに対して１６バイトのパリティデータ（ＰＯ）と、データおよびＰＯ符号の各行１７２バイトに対して１０バイトのパリティ（ＰＩ）を付加する。このように、１６セクタに対して、１６×１７２バイトのＰＯ符号と、２０８×１０バイトのＰＩ符号が付加される。
【００１４】
以下、図１に示した復調手段の動作について説明する。
まず、マイコン１２より処理開始ブロック値７と処理ブロック数設定値８が、復調手段１に与えられる。その処理ブロック数設定値８により、処理するブロック数をカウンタ５にセットする。一方、ＩＤ検出部３において、光ディスクより読み出されたデータのＩＤ検出を行い、処理開始ブロック値７と一致したら、復調開始信号４を生成する。また、ＩＤ検出部３により生成されるブロック先頭検出信号１３によりカウンタ５をデクリメントし、そのカウンタ値である未処理ブロック数６を比較手段９に出力する。比較手段９において、未処理ブロック数６が０であるかどうか判別、つまり処理ブロック数と設定数との比較を行う。その比較した結果により、最終ブロック信号１０を生成する。
【００１５】
このように、復調手段１自身において復調開始信号および最終ブロック信号を生成し、処理を行うブロック数を制御し、復調処理部１１において再生データ２の復調処理を行う。その際に、復調手段１より処理ブロック先頭信号１４を出力し、復調後のデータ１５はＲＡＭへと送られる。
【００１６】
なお、本実施形態では、デクリメントカウンタを用い、比較手段９において０との比較を行った。しかし、インクリメントカウンタを用い、該カウンタ値である処理ブロック数とあらかじめ与えた設定値と比較するようにしても、同様に制御できる。
【００１７】
次に、図１に示した復調手段１を用いた光ディスク装置の構成、動作について説明する。
図２は、図１に示した復調手段１を用いた光ディスク装置の概略構成を示すブロック図である。
【００１８】
図２において、２１は光ディスクであり、データが変調処理され記録されている。２２は光ディスク２１を回転させるサーボモータ、２３は光ディスク２１に記録されているデータを読み取るピックアップ、２４はピックアップ２３により光ディスク２１から読み出されたデータである。２５はシリアルデータ２４から同期したクロックを作り出すＰＬＬであり、入力データのビットレートにしたがってクロック周波数は変化する。
【００１９】
また、３０は入力されたデータを一時的に貯えておくＲＡＭであり、３１はデータを出力する出力手段である。３２は出力手段３１の同期クロック、３３は外部からデータを求める信号、３４は出力手段３１と外部とのデータバスである。３５は誤り訂正を行う誤り訂正手段であり、３６は誤り訂正手段３５より発生する誤り訂正終了を示す信号である。３７は処理ブロック先頭信号１４によりインクリメントする復調カウンタ、３８は誤り訂正終了時に発生する信号によりインクリメントする誤り訂正カウンタである。３９は、復調カウンタ３７で表される復調アドレスと誤り訂正カウンタ３８で表される誤り訂正アドレスを、比較する比較手段であり、４０は、その比較した結果により生成される誤り訂正開始信号である。４１は、誤り訂正手段３５とＲＡＭ３０間のデータバスであり、４２は出力手段３１とＲＡＭ３０間のデータバスである。
【００２０】
以下、図２に示した光ディスク装置における動作について説明する。
ピックアップ２３により、ディスク２１からデータが読み出される。読み出されたデータ２は復調手段１において復調され、復調後のデータを逐次ＲＡＭ３０へ転送する。その際の復調手段１の制御は、図１を用いて前述した通りである。また、復調手段１において、処理データのブロックの先頭を検出し、復調カウンタ３７へ処理ブロック先頭信号１４を送り、復調カウンタ３７をインクリメントする。更に、誤り訂正手段３５に比較手段３９で生成される誤り訂正開始信号４０が入力されると、ＲＡＭ３０の復調後のデータを読み出して、誤り訂正を開始する。ただし、誤り訂正開始信号４０は、比較手段３９において両カウンタ値の比較を行い、復調済みでかつ誤り訂正未済みのデータが１ブロック以上あるかどうか判別することにより生成される。
【００２１】
誤り訂正が終了すると、誤り訂正手段３５は誤り訂正終了信号３６を発生し、これが誤り訂正カウンタ３８に送られて、誤り訂正カウンタ３８をインクリメントする。更に、誤り訂正後のデータは、誤り訂正手段３５より再びＲＡＭ３０に送られ、出力手段３１により出力される。
【００２２】
復調および誤り訂正の動作タイミングを、図３のタイミングチャート図と図４のフローチャート図を用いて、更に詳しく説明する。
【００２３】
図３は、本実施形態による動作を示すタイミングチャート図である。図３中の再生データ２の数字は、ブロックを識別するための数字を示す。また、復調開始信号４はＨｉ  ａｃｔｉｖｅで、復調処理が行われる状態を示す。未処理ブロック数６は、復調手段１内のカウンタ５のカウンタ値で、最終ブロック信号１０はＨｉのときが再生データの最終ブロックの制御を行う状態を示す。処理ブロック先頭信号１４は、復調手段１において生成される信号で、図２中の復調カウンタ３７をインクリメントする。また、復調アドレスは、復調カウンタ３７のカウンタ値、誤り訂正アドレスは、図２中の誤り訂正カウンタ３８のカウンタ値を示す。復調処理および誤り訂正処理は、再生データと同じ番号のブロックの処理を行うことを示す。
【００２４】
また、図４は復調手段における動作のフローチャート図である。
以下、図３中の再生データのブロック“１”と“２”の処理の流れについて、図４のフローチャートに沿って説明する。
【００２５】
処理実行中のステータスに入ると、マイコン１２より処理ブロック数が与えられ、カウンタ５にセットされる（ステップＳＴ１）。この場合、マイコン１２よりより与えられる処理ブロック数設定値８が「２」であることから、カウンタ５のカウンタ値である未処理ブロック数６は「２」となる。一方、ＩＤ検出部２において、処理開始ブロックであるブロック“１”の一つ前であるブロック“０”のＩＤを検出し（ステップＳＴ２）、復調開始信号をＨｉとする（ステップＳＴ３）。
【００２６】
その状態で、ブロックの先頭を検出すると（ステップＳＴ４）、そのブロックの復調が行われ、処理ブロック先頭信号１４が生成されて復調カウンタ３７に送られる（ステップＳＴ５）。また、ブロックの先頭検出により、未処理ブロック数６をデクリメントする（ステップＳＴ５）。
【００２７】
未処理ブロック数６が０になるとき、つまり最終ブロックの先頭を検出すると（ステップＳＴ６）、最終ブロック信号１０を生成する（ステップＳＴ７）。そして、次のブロックの先頭を検出すると（ステップＳＴ８）、復調処理が終了する（ステップＳＴ９）。
【００２８】
その間、復調後のデータ１５は逐次ＲＡＭ３０へと転送される。一方、誤り訂正は復調済みデータが１ブロック以上あれば処理される。
【００２９】
前述したように、復調カウンタ３７のカウンタ値である復調アドレスと誤り訂正カウンタ３８のカウンタ値である誤り訂正アドレスとの比較を行い、復調済みでかつ誤り訂正未済みのデータが１ブロック以上あるかどうか判別することで、誤り訂正開始信号４０を生成し、誤り訂正を開始する。復調アドレスは処理ブロック先頭信号１４によりインクリメントされ、誤り訂正アドレスは誤り訂正終了後にインクリメントする。この制御だけでは、最終ブロックの誤り訂正が行われない。
【００３０】
そこで動作を補うために、復調手段１により生成された最終ブロック信号１０により特別に制御する。つまり、最終ブロック信号１０発生時にブロック先頭を検出した際も、処理ブロック先頭信号１４を生成し、復調アドレスをインクリメントする。すなわち、ここでは、図３における復調アドレスを１から２へインクリメントする制御を加える。これにより、最終ブロックの誤り訂正動作が開始される。
【００３１】
以上、本第１実施形態による光ディスク装置の復調手段では、復調開始信号および最終ブロック信号を生成し、復調手段自身で全てのブロック数処理を制御している。そのため、マイコンは最初に処理ブロック数を与えるだけで、あとは復調手段を監視する必要がなく、マイコンの負担を低減することができる。また、高速化によるマイコンの破綻に影響されることなく、自動的に処理すべき全てのブロックの復調・誤り訂正が確実に行われる。
【００３２】
次に、本発明の第２実施形態について説明する。
図５は、本発明の第２実施形態に係る光ディスク装置における復調手段の概略構成を示すブロック図である。
【００３３】
図５において、１６は、比較手段９より生成される最終ブロック先頭検出信号である。また、１７は、マイコン１２より与えられる処理ブロック数設定値８を一時記憶しておく一時記憶手段である。図５に示した本実施形態は、図１の前記第１実施形態の復調手段に、一時記憶手段１７を加えたものである。
【００３４】
以下、図５に示した復調手段の動作について説明する。
続けて処理を行う際には、次の処理ブロックの数を一時記憶手段１７にて一時記憶する。未処理ブロック数６が０になるとき、つまり最終ブロックの先頭を検出した際に、比較手段９は、最終ブロック信号１０に加えて、最終ブロック先頭検出信号１６を生成する。そこで、最終ブロック先頭検出信号１６の生成時に、続けて処理を行う要求があるかどうかを、復調手段１が判断する。要求がある場合には、一時記憶手段１７において一時記憶されている次の処理ブロック数の設定値を、カウンタ５にセットし、先の処理終了直前に次のコマンドを発生するようにする。これをキューイング処理と呼ぶものとする。
【００３５】
本発明においては、先にも述べたように、処理ブロック数を復調手段１自身が制御しているため、キューイング処理のような処理ブロック数の追加も、容易に制御できる。
【００３６】
図６は、キューイング処理時の動作を示すタイミングチャート図である。
処理ブロック数設定値８は、マイコン１２より与えられる処理するブロックの数であり、一時記憶手段１７において一時記憶される。また、キューイング要求は、キューイング処理を行うという要求を示し、Ｈｉのときに要求があるものとする。その他は、図３と同様である。
【００３７】
以下、再生データ２のブロック“１”、“２”の処理を行った後に続けて、ブロック“３”、“４”、“５”の処理を行う場合について説明する。ブロック“１”、“２”の処理は、図３で示した通常動作と同様に行われる。加えて、先の処理の最終ブロック先頭検出時に、続けて処理を行うというキューイング要求があるかを判断する。そして、キューイング要求があるときには、一時記憶手段１７に記憶していた処理ブロック数をカウンタ５に追加してセットする。図６中で見られるように、処理ブロック数設定値８の「３」がセットされ、未処理ブロック数６は「３」となる。この際には、最終ブロック信号１０を生成しない。このように、処理ブロック数を追加するやり方で連続動作を行う。最終ブロック先頭検出時に、キューイング要求がない場合には、図３での通常動作と同様に最終ブロック信号１０を生成し、最終ブロックの処理を行う。
【００３８】
また、図９は、キューイング処理のない場合の動作と、本実施形態によるキューイング処理を含む動作にかかる時間との相対関係を示す。復調は復調にかかる時間、誤り訂正は誤り訂正にかかる時間を示す。キューイング処理がない場合、続けて処理を行う際には、復調・誤り訂正といった一連の動作を一旦完了させなければならない。一方、次の処理ブロックの数を一時記憶手段１７に記憶しておいて先の処理終了直前に追加するというキューイング処理の場合、一連の動作を一旦完了させなくても連続発行ができるようになるため、連続動作にかかる時間が短縮できる。
【００３９】
以上、本第２実施形態による復調手段では、一時記憶手段１７に次の処理ブロック数を一時記憶しておき、先の処理終了直前に処理ブロックの数を追加して行うやり方で連続発行する。そのため、連続動作にかかる時間が短縮でき、連続再生が楽にできるという利点がある。
【００４０】
【発明の効果】
以上、本発明によれば、復調手段自身において復調開始信号および最終ブロック信号を自動的に生成することで、処理ブロック数を制御するので、マイコンは最初に処理ブロックの情報を与えるだけで、その後復調手段を監視していなくてもよくなる。そのため、マイコンの負担を低減することができる。また、高速化による破綻を避けることができる。
更に、続けて処理を行う際には、次の処理ブロック数を一時記憶手段に記憶しておいて、最終ブロックの先頭検出時に処理ブロック数を追加するやり方で、復調・誤り訂正の一連の処理を一旦完了させなくても連続発行できるようになる。そのため、処理にかかる時間が短縮でき、連続再生が容易となる。
【図面の簡単な説明】
【図１】本発明の第１実施形態に係る光ディスク装置における復調手段の概略構成を示すブロック図である。
【図２】本発明の第１実施形態に係る光ディスク装置の概略構成を示すブロック図である。
【図３】本発明の第１実施形態における動作タイミングを示すタイミングチャート図である。
【図４】本発明の第１実施形態における動作フローを示すフローチャート図である。
【図５】本発明の第２実施形態に係る光ディスク装置における復調手段の概略構成を示すブロック図である。
【図６】本発明の第２実施形態におけるキューイング処理動作時のタイミングチャート図である。
【図７】本発明の実施形態で取り扱うデータのセクタ構造を示す説明図である。
【図８】本発明の実施形態で取り扱うデータのブロック構造を示す説明図である。
【図９】キューイング処理がない場合とキューイング処理時との復調・誤り訂正にかかる時間を相対的に示した説明図である。
【符号の説明】
１  復調手段
２  再生データ
３  ＩＤ検出部
４  復調開始信号
５  カウンタ
６  未処理ブロック数
７  処理開始ブロック値
８  処理ブロック数設定値
９  比較手段
１０  最終ブロック信号
１１  復調処理部
１２  マイコン
１３  ブロック先頭検出信号
１４  処理ブロック先頭信号
１５  復調済データ
１６  最終ブロック先頭検出信号
１７  一時記憶手段
１８  クロック
２１  光ディスク
２２  サーボモータ
２３  ピックアップ
２４  データ
２５  ＰＬＬ
３０  ＲＡＭ
３１  出力手段
３２  出力同期クロック
３３  データ要求信号
３４  データバス
３５  誤り訂正手段
３６  誤り訂正終了信号
３７  復調カウンタ
３８  誤り訂正カウンタ
３９  比較手段
４０  誤り訂正開始信号
４１  データバス
４２  データバス
【図１】
0003685603.tif 000002
【図２】
0003685603.tif 000003
【図３】
0003685603.tif 000004
【図４】
0003685603.tif 000005
【図５】
0003685603.tif 000006
【図６】
0003685603.tif 000007
【図７】
0003685603.tif 000008
【図８】
0003685603.tif 000009
【図９】
0003685603.tif 000010